(57)【要約】【課題】二重時空間送信ダイバシティシステムで最小信号対雑音比を用いたシャッフリングパターン決定方法及び装置を提供する。【解決手段】二重時空間送信ダイバシティ符号により符号化されたデータストリームを所定シャッフリングパターンによりシャッフリングして伝送する二重時空間送信ダイバシティシステムでシャッフリングパターンを決定する方法及び装置において、チャンネル推定器は複数の伝送アンテナから複数の受信アンテナへのチャンネル特性を推定し、シャッフリングパターン決定器は推定されたチャンネル特性を用いて可能な全てのシャッフリングパターンそれぞれに対する最小受信信号対雑音比を求め、可能な全てのシャッフリングパターン中最小受信信号対雑音比が最大のシャッフリングパターンを最適シャッフリングパターンとして選択する。本発明は最適のシャッフリングパターンを効率的に決定して受信器の誤差性能を直接的に向上させ得る。【選択図】図４
2005057779.tif 000002
【特許請求の範囲】
【請求項１】
二重時空間送信ダイバシティ符号により符号化されたデータストリームを所定シャッフリングパターンによりシャッフリングして伝送する二重時空間送信ダイバシティシステムでシャッフリングパターンを決定する方法において、
複数の伝送アンテナから複数の受信アンテナへのチャンネル特性を推定する過程と、
前記推定されたチャンネル特性を用いて受信信号対雑音比を最大化する最適シャッフリングパターンを決定する過程とを含むことを特徴とする方法。
【請求項２】
前記最適シャッフリングパターンを決定する過程は、
可能な全てのシャッフリングパターンそれぞれに対して最小受信信号対雑音比を求め、前記可能な全てのシャッフリングパターン中前記最小受信信号対雑音比が最大のシャッフリングパターンを前記最適シャッフリングパターンとして選択することを特徴とする請求項１に記載の方法。
【請求項３】
前記最適シャッフリングパターンを決定する過程は、下記の式を満足するシャッフリングパターンＷminを前記最適シャッフリングパターンとして選択することを特徴とする請求項２に記載の方法。
【数１】
2005057779.tif 000017
ここで、arg maxＷ[λmin(ＷＨＨＨＨＷ)]は［］を最大とするＷであり、λminは一番小さい固有値を求める関数であり、Ｗは可能な全てのシャッフリングパターンを示す転置行列であり、Ｈはチャンネル特性を示すチャンネル特性行列である。
【請求項４】
二重時空間送信ダイバシティ符号により符号化されたデータストリームを所定シャッフリングパターンによりシャッフリングして伝送する二重時空間送信ダイバシティシステムでシャッフリングパターンを決定する装置において、
複数の伝送アンテナから複数の受信アンテナへのチャンネル特性を推定するチャンネル推定器と、
前記推定されたチャンネル特性を用いて受信信号対雑音比を最大化する最適シャッフリングパターンを決定するシャッフリングパターン決定器と、
前記複数の伝送アンテナから前記複数の受信アンテナに受信された信号をそれぞれ復号であり、前記決定された最適シャッフリングパターンにより逆−シャッフリングして出力する複数の復号器と、
前記復号器から出力される信号を用いてデータシンボルを検出する検出器とを含むことを特徴とする装置。
【請求項５】
前記シャッフリングパターン決定器は、
可能な全てのシャッフリングパターンそれぞれに対して最小受信信号対雑音比を求め、前記可能な全てのシャッフリングパターン中前記最小受信信号対雑音比が最大のシャッフリングパターンを前記最適シャッフリングパターンとして選択することを特徴とする請求項４に記載の装置。
【請求項６】
前記シャッフリングパターン決定器は、
下記の式を満足するシャッフリングパターンＷminを前記最適シャッフリングパターンとして選択することを特徴とする請求項５に記載の装置。
【数２】
2005057779.tif 000018
ここで、arg maxＷ[λmin(ＷＨＨＨＨＷ)]は［］を最大とするＷであり、λminは一番小さい固有値を求める関数であり、Ｗは可能な全てのシャッフリングパターンを示す転置行列であり、Ｈはチャンネル特性を示すチャンネル特性行列である。
【請求項７】
前記シャッフリングパターン決定器は、
前記最適シャッフリングパターンに対する情報を送信端にフィードバックすることを特徴とする請求項４に記載の装置。
【発明の詳細な説明】
【技術分野】
【０００１】
本発明は二重時空間送信ダイバシティシステム（Ｄｏｕｂｌｅ  Ｓｐａｃｅ−Ｔｉｍｅ  Ｔｒａｎｓｍｉｔ  Ｄｉｖｅｒｓｉｔｙ  ｓｙｓｔｅｍ）に関するものであり、特にデータストリームをシャッフリングして伝送する二重時空間送信ダイバシティシステムでシャッフリングパターンを選択する方法及び装置に関するものである。
【背景技術】
【０００２】
現在無線移動通信市場が急成長し、無線環境での多様なマルチメディアサービスが要求されており、同時に伝送データの大容量化及びデータ伝送の高速化が進行されている。従って、限定された周波数資源を効率的に使用することができる方法を探すことが最も急を要した課題に浮かび上がっており、この課題を解決するためには多重アンテナを用いた新しい伝送技術が必要である。３世代移動通信標準化機構である３ＧＰＰ（３ｔｈ  Ｇｅｎｅｒａｔｉｏｎ  Ｐａｒｔｎｅｒｓｈｉｐｓ  Ｐｒｏｊｅｃｔ）では移動通信環境で多数の送信及び受信アンテナを使用してデータを送受信する多入多出（Ｍｕｌｔｉｐｌｅ  Ｉｎｐｕｔ  ａｎｄ  Ｍｕｌｔｉｐｌｅ  Ｏｕｔｐｕｔ）（ＭＩＭＯ）技術を適用した新しいデータ伝送方式を活発に論議している。
【０００３】
図１は典型的な多入多出システムの簡略化された伝送モデルを示したことであって、示したようにＭＩＭＯシステムはＭ本の伝送アンテナ１０とＮ本の受信アンテナ２０とを有する。Ｍ本の伝送アンテナを通じて送信されるＭ×１信号ベクトルをｓといい、送信信号ベクトルが受信端に受信される前に経られる移動通信チャンネル１５の特性行列をＨという時、Ｎ本の受信アンテナを有する受信端から受信される信号ベクトルｒは下記の式［数１］の通りである。
【０００４】
【数１】
2005057779.tif 000003
【０００５】
ここで、チャンネル特性行列Ｈは、送信端でＭ本のアンテナを使用し、受信端でＮ本のアンテナを使用し、伝送アンテナから送信された信号はそれぞれ他の経路を経てそれぞれ他の受信アンテナに受信されるためＮ×Ｍ行列になる。ｗはガウス雑音（Ｇａｕｓｓｉａｎ  Ｎｏｉｓｅ）を示したことであり、受信端各アンテナに誘導されるため、Ｎ×１ベクトルになる。
【０００６】
３ＧＰＰで提示されている多入多出技術を使用する伝送技法中注目を浴びる一つは二重時空間送信ダイバシティ（Ｄｏｕｂｌｅ  Ｓｐａｃｅ−Ｔｉｍｅ  Ｔｒａｎｓｍｉｔ  Ｄｉｖｅｒｓｉｔｙ）（ＤＳＴＴＤ）である。こうしたＤＳＴＴＤは既存の時空間送信ダイバシティ  コーディング（ＳＴＴＤ  ｃｏｄｉｎｇ）を基盤とする２個のＳＴＴＤ符号器を使用するので、送信ダイバシティ効果を現すことができ、従ってダイバシティ特性を用いた性能改善が要求される状況に非常に適している。
【０００７】
図２は典型的なＤＳＴＴＤシステムの概略的な構成図を示すことであって、示したように送信機３０はそれぞれ２本ずつの伝送アンテナ３６に連結された２個のＳＴＴＤ符号器３２，３４から構成され、受信機４０はＮ（Ｎ≧２）本のアンテナ４２にそれぞれ２個ずつ連結されるＤＳＴＴＤ復号器４４，４６，４８，５０から構成される。
【０００８】
以上のようなＤＳＴＴＤ技術は二つのシンボル毎に一つのＤＳＴＴＤ結合と信号検出計算を処理するため４本の伝送アンテナを使用するＳＴＴＤ技術と比較して見る時処理速度が２倍に増加され、システムの複雑度やはり減少される。
【０００９】
アンテナ間相関度が高い無線チャンネル環境でＤＳＴＴＤの性能を向上させるための技術にアンテナシャッフリング（ｓｈｕｆｆｌｉｎｇ）技法がある。アンテナシャッフリングのためには４本の伝送アンテナに基盤とした二つＳＴＴＤ符号器１０２，１０４は出力シンボルの最適順序を決定する。即ち、アンテナシャッフリングはチャンネルに対する線型変換を遂行することである。アンテナシャッフリングパターンは空間的なチャンネルの相関度に応じて受信端により決定される。
【００１０】
受信機はチャンネル特性を推定した後、チャンネル推定情報から送信端と受信端との相関度を示す空間的相関行列（ｓｐａｔｉａｌ  ｃｏｒｒｅｌａｔｉｏｎ  ｍａｔｒｉｘ）を分離して、相関度を最小化することができる最適のシャッフリングパターンを探し出す。良好なチャンネル独立性を維持するためには相関行列が恒等行列（Ｉｄｅｎｔｉｔｙ  ｍａｔｒｉｘ）になれなければならないが、実際には雑音と干渉による影響なので非対角成分（ｏｆｆ−ｄｉａｇｏｎａｌ  ｔｅｒｍｓ）が発生される。従って、受信機は非対角成分を最小化させるシャッフリングパターンを決定し、これを送信端の符号器に通報する。
【００１１】
しかし、従来のＤＳＴＴＤシステムのためのシャッフリングパターン選択技術はデータストリーム（ｄａｔａ  ｓｔｒｅａｍ）が伝送されるチャンネルの空間相関度を最小化する情報のみを用いるだけ、受信機のＢＥＲ（ｂｉｔ  ｅｒｒｏｒ  ｒａｔｅ）に影響を与える受信信号対雑音比（Ｓｉｇｎａｌ  ｔｏ  Ｎｏｉｓｅ  Ｒａｔｉｏ）（ＳＮＲ）を考慮しなかった。それに、相関行列又チャンネル特性行列自体から１次的に求められることではなく、２次的計算により求められることであるため相関行列のみに最適受信性能を示すシャッフリングパターンを推定することには限界があるより外はない。
【発明の開示】
【発明が解決しようとする課題】
【００１２】
本発明の技術的課題は二重時空間送信ダイバシティシステムで受信機の複雑度を減少させながら最適受信性能を示すシャッフリングパターンを決定する方法及び装置を提供するところにある。
【００１３】
本発明の他の技術的課題は二重時空間送信ダイバシティシステムでチャンネル推定情報から受信誤差確率を最小化するシャッフリングパターンを決定する方法及び装置を提供するところにある。
【００１４】
本発明のさらに他の技術的課題は二重時空間送信ダイバシティシステムでチャンネル推定情報から受信信号対雑音比を最大化するシャッフリングパターンを直接的に決定する方法及び装置を提供するところにある。
【課題を解決するための手段】
【００１５】
前述した課題を達成するために本発明は、二重時空間送信ダイバシティ（ＤＳＴＴＤ）符号により符号化されたデータストリームを所定シャッフリングパターンによりシャッフリングして伝送する二重時空間送信ダイバシティシステムでシャッフリングパターンを決定する方法において、複数の伝送アンテナから複数の受信アンテナへのチャンネル特性を推定する過程と、推定されたチャンネル特性を用いて受信信号対雑音比を最大化する最適シャッフリングパターンを決定する過程とを含むことを特徴とする。
【００１６】
前述した他の課題を達成するために本発明は、二重時空間送信ダイバシティ符号により符号化されたデータストリームを所定シャッフリングパターンによりシャッフリングして伝送する二重時空間送信ダイバシティシステムでシャッフリングパターンを決定する装置において、複数の伝送アンテナから複数の受信アンテナへのチャンネル特性を推定するチャンネル推定器と、推定されたチャンネル特性を用いて受信信号対雑音比を最大化する最適シャッフリングパターンを決定するシャッフリングパターン決定器と、複数の伝送アンテナから複数の受信アンテナに受信された信号をそれぞれ復号であり、決定された最適シャッフリングパターンにより逆−シャッフリングして出力する複数の復号器と、復号器から出力される信号を用いてデータシンボルを検出する検出器とを含むことを特徴とする。
【発明の効果】
【００１７】
以上で詳細に説明したように動作する本発明において、開示される発明中代表的なことにより得られる効果を簡単に説明すれば次の通りである。
【００１８】
本発明は、シャッフリング構造を使用する二重時空間送信ダイバシティシステムで最適のシャッフリングパターンを効率的に決定することができる。即ち、本発明によるシャッフリングパターン決定アルゴリズムでは受信機でチャンネル推定を行った後、空間的チャンネル相関行列の再構成を行わずに、直接推定されたチャンネル情報から受信機の誤差性能に直接的な影響を及ぼす受信信号対雑音比を求めて使用することにより、受信性能を向上させ得る効果がある。
【００１９】
一方、本発明の詳細な説明では具体的な実施形態に関して説明したが、本発明の範囲から外れない限度内で色々の変形が可能なことは勿論である。だから、本発明の範囲は説明された実施形態に局限されなく、後述される特許請求の範囲だけではなく、この特許請求の範囲と均等なことにより決められなければならない。
【発明を実施するための最良の形態】
【００２０】
以下、添付した図面を参照して本発明の望ましい実施形態を詳細に説明する。
【００２１】
下記で本発明を説明することにあって関連された公知機能又は構成に対する具体的な説明が本発明の要旨を不要にぼんやりしていることができると判断される場合にはその詳細な説明を省略することである。そして後述される用語は本発明での機能を考慮して定義された用語としてこれは使用者、運用者の意図又は慣例等により異なることができる。だから、その定義は本明細書全般にかけた内容を土台として下れなければならないことである。
【００２２】
後述される本発明はシャッフリング構造を有する二重時空間送信ダイバシティ（ＤＳＴＴＤ）システムでチャンネル推定情報から受信機の誤差確率性能に直接的な影響を及ぼす受信信号対雑音比（Ｓｉｇｎａｌ  ｔｏ  Ｎｏｉｓｅ  Ｒａｔｉｏ）（ＳＮＲ）の最小値を最大とするシャッフリングパターンを決定することである。
【００２３】
図３は本発明の一実施形態によりシャッフリング構造を有するＤＳＴＴＤシステムの送信機構成を示したことである。
【００２４】
図３を参照すれば、変調された複数のデータシンポルより成る一つのデータストリームは逆多重化器（Ｄｅｍｕｌｔｉｐｌｅｘｅｒ）（ＤＭＵＸ）１１０により二つの相異なるデータストリームに分離されて２個のＳＴＴＤ符号器（ＳＴＴＤ  ＥＮＣ）１２０，１２２にそれぞれ入力される。ＳＴＴＤ符号器１２０，１２２それぞれは基本的に一つの入力データストリームに対して二つの出力データストリームを生成するので、２個のＳＴＴＤ符号器１２０，１２２により全て四つの伝送データストリームが発生する。
【００２５】
アンテナシャッフリングのために、シャッフリング器１３０はシャッフリング制御器１６０から提供されたシャッフリングパターンにより、４本の伝送アンテナ１５０，１５２，１５４，１５６に基盤として２個のＳＴＴＤ符号器１２０，１２２から出た出力信号の順序をシャッフリングする。即ちアンテナシャッフリングは送信端から受信端へのチャンネルに対する線型変換を遂行する。シャッフリングのためのシャッフリングパターンは受信端により決定され、シャッフリングパターンの決定に対する詳細な説明は後述されることである。
【００２６】
四つのデータストリームは拡散器１４０，１４２，１４４，１４６によりそれぞれ多数の拡散コード（Ｍｕｌｔｉ−ｓｐｒｅａｄｉｎｇ  ｃｏｄｅｓ）を有し拡散されて伝送アンテナ１５０乃至１５６別に割り当てられる。
【００２７】
一番目伝送アンテナ１５０と二番目伝送アンテナ１５２に割り当てられた伝送信号はＳＴＴＤ符号化により相互直交される。同様に三番目伝送アンテナ１５４と四番目伝送アンテナ１５６も相互直交する伝送信号が割り当てられる。この場合に各アンテナを通じて伝送された信号は相異なるＳＴＴＤ符号器を経た信号から干渉影響を受けて、各データシンボルは送信ダイバシティ効果を有する。
【００２８】
図４は本発明の一実施形態によりシャッフリング構造を有するＤＳＴＴＤシステムの受信機構成を示したことである。
【００２９】
図４を参照すれば、Ｎ本の受信アンテナ２１０乃至２１２を通じて受信された信号はアンテナ別逆拡散器２２０により逆拡散された後アンテナ別に２個ずつのＳＴＴＤ復号器２３２，２３４，２３６，２３８を通じて直接時空間レイク結合（Ｄｉｒｅｃｔ  Ｓｐａｃｅ−Ｔｉｍｅ  Ｒａｋｅ  Ｃｏｍｂｉｎｉｎｇ）が成される。
【００３０】
ＤＳＴＴＤ符号化された信号がチャンネルＨを通過した後ｎ番目受信アンテナに入力される信号は次式［数２］のように示すことができる。
【００３１】
【数２】
2005057779.tif 000004
【００３２】
ここで、ｈｎｉはｉ番目シンボル時間のチャンネル係数であり、Ｓｊはｊ番目送信シンボルであり、ｗｎ（．）はガウス雑音である。
【００３３】
チャンネル推定器２６０は受信アンテナを通じて受信された信号を有し、伝送アンテナから受信アンテナへのチャンネル特性を推定し、シャッフリングパターン選択器２７０はチャンネル推定情報により最適のシャッフリングパターンを決定した後これを復号器２３２乃至２３８に提供する同時に送信端にフィードバックする。復号器２３２乃至２３８は時空間レイク結合された信号をシャッフリングパターンＷにより、元来の順序通り逆−シャッフリングして出力する。
【００３４】
ＤＳＴＴＤ結合された出力信号は他のＳＴＴＤ符号器と連結された２本の伝送アンテナから発生した干渉信号により影響を受ける。従って、検出器２４０は復号器２３２乃至２３８から出力された信号に対して反復（Ｉｔｅｒａｔｉｖｅ）ＭＭＳＥ（Ｍｉｎｉｍｕｍ  Ｍｅａｎ  Ｓｑｕａｒｅ  Ｅｒｒｏｒ）のように干渉に強い検出アルゴリズムを適用することによりデータシンボルを検出する。検出されたシンボルは並列/直列変換器２５０により直列変換されて復調器（図示せず）に入力される。
【００３５】
アンテナ別チャンネル係数が次の式［数３］の通りであるとする時、アンテナシャッフリングによる新しいチャンネル係数はその次の式［数４］の通りである。
【００３６】
【数３】
2005057779.tif 000005
【００３７】
【数４】
2005057779.tif 000006
【００３８】
ここで、Ｗはシャッフリングパターンを示す４×４転置（ｐｅｒｍｕｔａｔｉｏｎ）行列を意味し、上添字Ｔは転置行列を意味する。
【００３９】
図５は式［数５］に示したシャッフリングパターン中１，３，２，４の場合を示したことである。示したように二番目データストリームと三番目データストリームとの経路がシャッフリング器１３０により相互交換された。
【００４０】
無線チャンネル環境が最も劣悪な場合に該当する最小受信ＳＮＲは受信機のビット誤率（Ｂｉｔ  Ｅｒｒｏｒ  Ｒａｔｅ）（ＢＥＲ）性能を左右する直接的な要因である。従って、シャッフリングパターン選択器２７０は最小受信ＳＮＲを一番大きくすることができるシャッフリングパターンを探し出す。
【００４１】
ＤＳＴＴＤシステムの受信機は基本的にＺＦ（ｚｅｒｏ  ｆｏｒｃｉｎｇ）又はＭＭＳＥ検出アルゴリズムを使用し、各検出アルゴリズムはデータストリーム別にデータを検出する。この際、検出アルゴリズムを経たｋ番目データストリームの受信ＳＮＲは次式［数５］の通りである。
【００４２】
【数５】
2005057779.tif 000007
【００４３】
ここで、ρは送信信号の全体電力対雑音比を示し、Ｍは伝送アンテナの本数を示し、Ｈはチャンネル特性行列を示し、上添字Ｈはエルミート行列（Ｈｅｒｍｉｔｉａｎ  ｍａｔｒｉｘ）を示す。又下添字ｋ，ｋはデータストリームのインデックスを示すことである。
【００４４】
ＨはＤＳＴＴＤシステムにより変形されたチャンネル特性、即ち送信端によりシャッフリングが適用されたチャンネル特性を示す行列として、４本の伝送アンテナと２本の受信アンテナに対して式［数２］から次式［数６］のように時間に対して拡張された形態を有する。
【００４５】
【数６】
2005057779.tif 000008
【００４６】
前述した式［数６］から最小受信ＳＮＲは次式［数７］のように展開される。
【００４７】
【数７】
2005057779.tif 000009
【００４８】
ここで、λｍａｘ（．）とλｍｉｎ（．）はそれぞれチャンネル特性行列で一番大きい固有値（Ｅｉｇｅｎ  ｖａｌｕｅ）と一番小さい固有値を求める関数である。
【００４９】
結果的にアンテナのシャッフリングは、シャッフリング方式により色々に出ることができるチャンネル特性行列Ｈに対して、下記式［数８］を満足するシャッフリングパターンＷminを探すことである。
【００５０】
【数８】
2005057779.tif 000010
【００５１】
ここで、Ｗはシャッフリングパターンとして利用可能な行列である。システムの対称構造により、可能な全てのシャッフリングパターンは次式［数９］に示した六つに表現可能である。
【００５２】
【数９】
2005057779.tif 000011
【００５３】
シャッフリングパターン選択器２７０は前述したシャッフリングパターン中で前述した式［数８］を満足するＷｍｉｎを選択した後、選択されたパターンに対する情報を送信機にフィードバックする。
【００５４】
図６は本発明の一実施形態によりシャッフリングパターンを決定する動作を示した流れ図である。ここで示した動作はＤＳＴＴＤ符号により符号化されたデータストリームを所定シャッフリングパターンによりシャッフリングして伝送する二重時空間送信ダイバシティシステムの受信機により遂行されることである。
【００５５】
図６を参照すれば、受信機は過程３１０で複数の伝送アンテナから複数の受信アンテナへのチャンネル特性を推定し、過程３２０で推定されたチャンネル特性を用いて可能な全てのシャッフリングパターンそれぞれに対して最小受信信号対雑音比を求める。過程３３０で受信機は可能な全てのシャッフリングパターン中最小受信信号対雑音比が最大なシャッフリングパターンを最適シャッフリングパターンとして選択する。過程３４０で選択されたシャッフリングパターンに対する情報は送信機にフィードバックされる。
【００５６】
本発明に係るシャッフリングパターン決定アルゴリズムを用いた受信機の性能を、多様なチャンネル相関度を有する環境に対してシミュレーションした結果を説明すれば次の通りである。
【００５７】
相関度を有するチャンネルモデルは次式［数１０］のように求められる。
【００５８】
【数１０】
2005057779.tif 000012
【００５９】
ここで、伝送アンテナ本数はＭであり、受信アンテナ本数はＮであり、Ｈｉｉｄは零平均と単位分散とを有するＮ×Ｍｉ．ｉ．ｄ（ｉｎｄｅｐｅｎｄｅｎｔ  ａｎｄ  ｉｄｅｎｔｉｃａｌｌｙ  ｄｉｓｔｒｉｂｕｔｅｄ）複素ガウスチャンネル行列であり、ＲＲＸとＲＴＸはそれぞれ受信相関行列（Ｎ×Ｎ）と送信相関行列（Ｍ×Ｍ）である。
【００６０】
シミュレーションで使用されたチャンネル相関度モデルは次表１の通りである。一般に受信機周辺には十分な散乱（ｓｃａｔｔｅｒｉｎｇ）が存在して受信アンテナ間に独立的なチャンネルを保障することができるため受信機の相関度はないとみなされることができ、従ってＲＲＸ＝１であることとした。
【００６１】
【表１】
2005057779.tif 000013
【００６２】
Ｓ１チャンネルは受信相関（ｒｅｃｅｉｖｅ  ｃｏｒｒｅｌａｔｉｏｎ）が存在せずに、送信相関度（ｔｒａｎｓｍｉｔ  ｃｏｒｒｅｌａｔｉｏｎ）は一つのクラスタ（ｃｌｕｓｔｅｒ）により発生するチャンネルとしてＡＯＤ（ａｎｇｌｅ  ｏｆ  ｄｅｐａｒｔｕｒｅ）がπ/２であり、ＡＯＳ（ａｎｇｌｅ  ｏｆ  ｓｐｒｅａｄ）がπ/３０のチャンネルである。こうしたＳ１チャンネルに対して理想的な最適アンテナシャッフリングパターンは（１，４）（３，２）である。図７はＳ１チャンネルモデルで可能な全てのシャッフリングパターンによるＢＥＲ性能を示したことである。
【００６３】
Ｓ１チャンネルモデルに対して、可能な全てのシャッフリングパターンによる本発明と従来技術のシャッフリングパターン決定基準値を比較すれば次表２の通りである。下記の値はそれぞれ１０００００番の独立施行による平均値を示したことである。
【００６４】
【表２】
2005057779.tif 000014
【００６５】
前述した表２によると、本発明は判別基準値中最大値０．８０２１に該当するシャッフリングパターン（１，４）（３，２）を選択する反面、従来技術は最小値の０．０００４に該当するシャッフリングパターン（１，３）（４，２）を選択する。即ち、本発明は受信ＳＮＲの観点で一番良いＳＮＲ特性を探すためシミュレーション結果のような（１，４）（３，２）のアンテナシャッフリングパターンを探すことができる。
【００６６】
Ｓ２チャンネルモデルは二つのクラスタにより送信相関度が発生するチャンネルとしてＡＯＤがそれぞれπ/６とπ/２であり、ＡＯＳがそれぞれπ/３０とπ/２０のチャンネルである。図８はＳ２チャンネルモデルで可能な全てのシャッフリングパターンによるシミュレーション結果を示したことであり、次表３はＳ２チャンネルモデルに対して、本発明と従来技術のシャッフリングパターン決定基準値を比較したことである。
【００６７】
【表３】
2005057779.tif 000015
【００６８】
図８によると、Ｓ２チャンネルモデルに対してシャッフリングパターンが（１，２）（４，３）と（１，３）（２，４）である時一番良好なＢＥＲ性能を得ることができる。これに対して表３を参照すれば、本発明は判別基準値中最大値１．１３２１に該当するシャッフリングパターン（１，２）（４，３）を選択する反面、従来技術は最小値の０．００１８に該当するシャッフリングパターン（１，３）（４，２）を選択する。
【００６９】
Ｓ３チャンネルモデルは強制的に送信相関度を適用した場合として送信相関度行列はＲＴＸ＝ｔｏｅｐｌｉｔｚ（１  ０．７５  ０．５  ０．２５）に与えられる。図９はＳ３チャンネルモデルで可能な全てのシャッフリングパターンによるシミュレーション結果を示したことであり、次表４はＳ３チャンネルモデルに対して、本発明と従来技術のシャッフリングパターン決定基準値を比較したことである。
【００７０】
【表４】
2005057779.tif 000016
【００７１】
前述した表４を参照すれば、本発明は判別基準値中最大値０．７９５２に該当するシャッフリングパターン（１，４）（３，２）を選択する反面、従来技術は最小値の０．００１８に該当するシャッフリングパターン（１，４）（２，３）を選択する。
【００７２】
シミュレーションを通じた受信性能を調べると、従来の技術は受信性能が似ていたシャッフリングパターンＷ１３２４、Ｗ１４２３，Ｗ１３４２，Ｗ１４３２等に対して均一な判別基準を提示することができない反面、本発明はシャッフリングパターンに対して似ていた判別基準を提示しているため、本発明が従来の技術に比べてより客観的な判別基準を提示していることが分かる。
【図面の簡単な説明】
【００７３】
【図１】典型的な多入多出システムの簡略化された伝送モデルを示した図面である。
【図２】典型的なＤＳＴＴＤシステムの概略的な構成図を示した図面である。
【図３】本発明の一実施形態によりシャッフリング構造を有するＤＳＴＴＤシステムの送信機構成を示した図面である。
【図４】本発明の一実施形態によりシャッフリング構造を有するＤＳＴＴＤシステムの受信機構成を示した図面である。
【図５】シャッフリング構造を有するＤＳＴＴＤシステムでシャッフリングの一例を示した図面である。
【図６】本発明の一実施形態によりシャッフリングパターンを決定する動作を示した流れ図である。
【図７】可能な全てのシャッフリングパターンによるＢＥＲ性能を示した図面である。
【図８】可能な全てのシャッフリングパターンによるＢＥＲ性能を示した図面である。
【図９】可能な全てのシャッフリングパターンによるＢＥＲ性能を示した図面である。
【符号の説明】
【００７４】
１１０    逆多重化器
１２０，１２２    ＳＴＴＤ符号器
１３０    シャッフリング器
１４０，１４２，１４４，１４６    拡散器
１５０，１５２，１５４，１５６    伝送アンテナ
１６０    シャッフリング制御器
【図１】
2005057779.tif 000019
【図２】
2005057779.tif 000020
【図３】
2005057779.tif 000021
【図４】
2005057779.tif 000022
【図５】
2005057779.tif 000023
【図６】
2005057779.tif 000024
【図７】
2005057779.tif 000025
【図８】
2005057779.tif 000026
【図９】
2005057779.tif 000027